(57)【要約】【課題】着脱可能な浴室カウンターをカウンターとして使用しない場合に、使用者の動線を妨げない位置で保持可能な浴室カウンター収納構造を提供する。【解決手段】本浴室カウンター収納構造（１）は、物品を載置可能な載置面を備え、浴室の壁面に対して着脱可能に構成された浴室カウンター（２）と、前記壁面に設けられ、前記載置面が上方に向いた使用状態で前記浴室カウンターを支持する支持ブラケット（３）と、前記浴室カウンターを前記載置面が前記使用状態とは異なる向きに配置された収納状態で保持する収納ブラケット（３）と、を備えることを特徴とする。【選択図】図２
2020032106.tif 000002
【特許請求の範囲】
【請求項１】
物品を載置可能な載置面を備え、浴室の壁面に対して着脱可能に構成された浴室カウンターと、
前記壁面に設けられ、前記載置面が上方に向いた使用状態で前記浴室カウンターを支持する支持ブラケットと、
前記浴室カウンターを前記載置面が前記使用状態とは異なる向きに配置された収納状態で保持する収納ブラケットと、
を備えることを特徴とする浴室カウンター収納構造。
【請求項２】
前記浴室カウンターは、前記収納状態では前記載置面が前記壁面に沿って配置された状態で収納される
請求項１に記載の浴室カウンター収納構造。
【請求項３】
前記浴室カウンターは、前記収納ブラケットに対して着脱可能に嵌合されて前記収納状態で保持される
請求項１または請求項２に記載の浴室カウンター収納構造。
【請求項４】
前記浴室カウンターは、前記収納状態において前記浴室カウンターの前記壁面に対する位置が保持される被支持部を備える
請求項１から請求項３のいずれか一項に記載の浴室カウンター収納構造。
【請求項５】
前記被支持部は、前記収納状態において前記壁面に対する前記浴室カウンターの上下方向の位置を保持可能に構成されている
請求項４に記載の浴室カウンター収納構造。
【請求項６】
前記被支持部は、前記収納状態において前記壁面に対する前記浴室カウンターの奥行方向の位置を保持可能に構成されている
請求項４または請求項５に記載の浴室カウンター収納構造。
【請求項７】
前記収納ブラケットは、前記支持ブラケットを兼ねる
請求項１から請求項６のいずれか一項に記載の浴室カウンター収納構造。
【発明の詳細な説明】
【技術分野】
【０００１】
本発明は、浴室の壁面に着脱可能に取り付けられる浴室カウンター収納構造に関する。
【背景技術】
【０００２】
従来、浴室内の壁面には、石鹸、洗面器等、浴室で使用する物品を載置するカウンターが取り付けられている。例えば、シャワーや蛇口等の吐水装置の下方にカウンターが設けられ、カウンター上に石鹸、シャンプー、洗面器等を載置して使用する場合がある。
【０００３】
このような浴室カウンターとして、浴室カウンター及びその周辺の清掃を行いやすくするために浴室の壁面から着脱可能なカウンターが提案されている（例えば、特許文献１）。特許文献１のカウンターは、壁面への着脱が容易でありかつ軽量であるため、容易に清掃が行える。
【先行技術文献】
【特許文献】
【０００４】
【特許文献１】特開２０１８-５１１１９号公報
【発明の概要】
【発明が解決しようとする課題】
【０００５】
上述の通り、浴室カウンターは浴室で使用する物品を載置するために便利である一方、例えば、幼児と大人が一緒に入浴する際に限られた洗い場スペースを広く使用したい場合や、浴室使用者がシャワーを浴びる場合に、洗い場をより広く利用したいというニーズがある。一方で、着脱可能なカウンターにおいて、壁面から取り外した浴室カウンターの置き場所については考慮されておらず、前述したニーズに応えられていなかった。また、浴室カウンターを壁部から外した場合、浴室カウンターを浴室の床等に置くことが想定されるが、浴室カウンターは縁部が曲線形状を有する場合が多く、安定的に置いておくことが難しい。
【０００６】
上記事情を踏まえ、本発明は、着脱可能な浴室カウンターを取り外した場合に、使用者の動線を妨げない位置で保持可能な浴室カウンター収納構造を提供することを目的とする。
【課題を解決するための手段】
【０００７】
本発明に係る浴室カウンター収納構造は、物品を載置可能な載置面を備え、浴室の壁面に対して着脱可能に構成された浴室カウンターと、前記壁面に設けられ、前記載置面が上方に向いた使用状態で前記浴室カウンターを支持する支持ブラケットと、前記浴室カウンターを前記載置面が前記使用状態とは異なる向きに配置された収納状態で保持する収納ブラケットと、を備えることを特徴とする。
【０００８】
この発明によれば、収納ブラケットにより浴室カウンターを収納状態で保持可能であるため、着脱可能な浴室カウンターを取り外した場合に、使用者の動線を妨げない位置で浴室カウンターを保持できる。したがって、例えば、浴室カウンターの下方の床面や壁面を清掃する際、浴室カウンターを壁面から取り外した後、浴室カウンターを収納ブラケットにより安定保持可能となる。また、浴室カウンターを使用しない場合に、浴室カウンターを収納ブラケットにより収納状態で保持できる。
【０００９】
本発明に係る浴室カウンター収納構造では、前記浴室カウンターは、前記収納状態では前記載置面が前記壁面に沿って配置された状態で収納されてもよい。
【００１０】
この発明によれば、収納状態では、浴室カウンターの載置面が浴室の壁面に沿って配置されるため、浴室カウンターの壁面からの突出量を抑えて収納できる。したがって、浴室カウンターを使用しない収納状態時、例えば、掃除時の浴室カウンターが使用者の動線を妨げることがない。
【００１１】
本発明に係る浴室カウンター収納構造では、前記浴室カウンターは、前記収納状態では前記収納ブラケットに対して着脱可能に嵌合されて前記収納状態で保持されてもよい。
【００１２】
この発明によれば、浴室カウンターが収納ブラケットに対して嵌合されて保持可能であるため、収納状態では、浴室カウンターを収納ブラケットで安定支持できる。また、浴室カウンターを収納ブラケットと嵌合させて保持するため、収納状態の浴室カウンターが動くことを防止できる。その結果、浴室カウンターあるいは収納ブラケットの取付位置周辺に傷がつくことを防止できる。また、浴室カウンターが収納ブラケットに対して着脱可能に嵌合されるため、ビス等の固定具が不要となる。その結果、浴室カウンターを収納ブラケットに容易着脱可能となる。
【００１３】
本発明に係る浴室カウンター収納構造では、前記浴室カウンターは、前記収納状態において前記浴室カウンターが前記壁面に対する位置が保持される被支持部を備えてもよい。
【００１４】
この発明によれば、浴室カウンターの収納状態では、浴室カウンターに被支持部を備えるため、収納状態において浴室カウンターの壁面に対する位置が保持される。その結果、収納状態の浴室カウンターを安定的に支持可能となる。
【００１５】
本発明に係る浴室カウンター収納構造では、前記被支持部は、前記収納状態において前記壁面に対する前記浴室カウンターの上下方向の位置を保持可能に構成されていてもよい。
【００１６】
この発明によれば、収納状態では、被支持部により、壁面に対する浴室カウンターの上下方向の位置が保持され、収納状態の浴室カウンターが安定的に支持可能となる。
【００１７】
本発明に係る浴室カウンター収納構造では、前記被支持部は、前記収納状態において前記壁面に対する前記浴室カウンターの奥行方向の位置を保持可能に構成されていてもよい。
【００１８】
この発明によれば、収納状態では、被支持部により、壁面に対する浴室カウンターの上下方向の位置が保持可能である。
【００１９】
この発明によれば、収納状態では、被支持部により、壁面に対する浴室カウンターの奥行方向の位置が保持され、収納状態の浴室カウンターが安定的に支持可能となる。
【００２０】
本発明に係る浴室カウンター収納構造では、前記収納ブラケットは、前記支持ブラケットを兼ねてもよい。
【００２１】
この発明によれば、収納ブラケットが支持ブラケットを兼ねるため、浴室カウンターを使用状態および収納状態で保持するブラケットの数を少なくすることができる。その結果、浴室内に取り付けるブラケットの数を抑えられるため、部品点数低減及び施工工数の低減によりコストを抑えられる。また、浴室カウンターが使用状態あるいは収納状態にあるときに、使用されないブラケットが外観上露出することがないため、浴室内の外観意匠性を高めることができる。
【発明の効果】
【００２２】
本発明は、脱可能な浴室カウンターを取り外した場合に、使用者の動線を妨げない位置で保持可能な浴室カウンター収納構造を提供できる。
【図面の簡単な説明】
【００２３】
【図１】本発明の一実施形態に係る浴室カウンター収納構造を備える浴室ユニットの浴室カウンターの使用状態を示す斜視図である。
【図２】本発明の一実施形態に係る浴室カウンター収納構造を備える浴室ユニットの浴室カウンターの収納状態を示す斜視図である。
【図３】本発明の一実施形態の浴室ユニット内における浴室カウンターの収納状態の側面図である。
【図４】本発明の一実施形態の浴室カウンターをブラケットに取り付ける態様を示す斜視図である。
【図５】本発明の一実施形態の浴室ユニット内におけるブラケットの側面図である。
【図６】本発明の一実施形態に係る浴室カウンター収納構造の浴室カウンターの斜視図である。
【図７】本発明の一実施形態に係る浴室カウンター収納構造の浴室カウンターの裏面側の平面図である。
【図８】本発明の一実施形態に係る浴室カウンター収納構造の浴室カウンターをブラケットに取り付ける態様を示す斜視図である。
【図９】本発明の一実施形態の浴室ユニット内における浴室カウンターの使用状態の縦断面図である。
【図１０】本発明の一実施形態の浴室ユニット内における浴室カウンターの収納状態の縦断面図である。
【図１１】本発明の一実施形態の浴室ユニット内における浴室カウンター収納構造の第一変形例を示す斜視図である。
【図１２】本発明の一実施形態の浴室ユニット内における浴室カウンター収納構造の第二変形例を示す斜視図である。
【発明を実施するための形態】
【００２４】
以下、本発明の一実施形態に係る浴室カウンター収納構造について説明する。図１及び図２は、本実施形態に係る浴室カウンター収納構造１を備える浴室ユニット１００の斜視図である。図１は、浴室カウンター２の使用状態を示す図であり、図２は浴室カウンター２の収納状態を示す図である。図３は、浴室ユニット１００内における浴室カウンター２の収納状態を示す側面図である。本実施形態に係る浴室カウンター収納構造１は、浴室空間ＢＲの第一壁部１０３に対して着脱可能に構成された浴室カウンター２を、取り外して収納する際の収納構造である。以下では、浴室カウンター収納構造を用いた浴室ユニット１００を例に説明する。なお、浴室カウンター収納構造１は浴室ユニット１００に限らず、在来工法により施工された浴室においても適用可能である。
【００２５】
浴室ユニット１００は、建物の躯体内にフレームとパネルとを用いて、床、壁、天井及び浴槽等を組み立てて設置される。浴室ユニット１００内に形成される浴室空間ＢＲ（浴室）には外枠形状が平面視で略長方形の浴槽１０１と、平面視略矩形であり、浴槽１０１と壁との間の床部を構成する洗い場（床面）１０２と、が設けられている。浴槽１０１の洗い場１０２との境界部分となる端部には、浴槽１０１の側面を覆うエプロン１０５が設けられ、洗い場１０２と浴槽１０１とは、エプロン１０５を介して接続されている。浴室空間ＢＲは、四方に立設された複数の壁部により形成されている。
【００２６】
本実施形態では、浴室ユニット１００の複数の壁部のうち、シャワー器具１０９、水栓１１０、シャワーホルダ１０７が設けられた壁を第一壁部１０３と称する。また、浴槽１０１のエプロン１０５の表面は、第一壁部１０３と直交して配置されている。
【００２７】
以下の説明において、第一壁部１０３の壁面に沿った水平方向を幅方向、幅方向に直交する水平方向を奥行方向とする。奥行方向のうち第一壁部１０３に近接する方向を奥行方向の奥側とし、第一壁部１０３と離間する方向を奥行方向の手前側とする。第一壁部１０３の幅方向のうち、使用者が第一壁部１０３に向かって立つ場合の左右をそれぞれ右側、左側と称する。本実施形態では、幅方向の左側に浴槽１０１が配置され、右側に洗い場１０２が配置されている。
【００２８】
図１及び図２に示すように、浴室カウンター２（以下、「カウンター」と記載する。）は、第一壁部１０３に取り付けられた後述するブラケット３（支持ブラケット、収納ブラケット）に対して着脱可能に構成されている。本実施形態では、第一壁部１０３の水栓１１０の下方、かつ、洗い場１０２の床面から上方に離間した位置に、カウンター２が取り付けられる。
【００２９】
本実施形態に係る浴室カウンター収納構造１は、第一壁部１０３に対して着脱可能なカウンター２をブラケット３から取り外した際に、カウンター２を収納状態で保持する構造である。図１に示すように、天板４１を上方に向けて配置してブラケット３に支持された状態をカウンター２の使用状態と称する。使用状態では、天板４１は上方（天井側）を向いて第一壁部１０３からに略水平方向に突出して配置される。一方、図２に示すように、カウンター２の天板４１が水平方向に向いて配置されて保持される状態を収納状態と称する。
【００３０】
浴室カウンター収納構造１は、カウンター２と、ブラケット３（支持ブラケット、収納ブラケット）とを備え、カウンター２がブラケット３に着脱可能に保持される。
【００３１】
カウンター２の構成について、使用状態の配置に基づき説明する。図１０は、浴室ユニット１００内におけるカウンター２の収納状態の縦断面図である。カウンター２は、物品を載置可能な天板（載置面）４１を備える平板状の部材である。カウンター２は、使用状態において上側に配置される天板部材４と、下側に配置される底板部材５と、を有し、天板部材４と底板部材５とが接合されて構成されている（図７及び図１０参照）。天板部材４および底板部材５は、それぞれ樹脂材料により形成されている。
【００３２】
ブラケット３は、第一壁部１０３に取り付けられている。ブラケット３は、不図示の金属部材により第一壁部１０３に固定され、樹脂製のカバー部材により金属部材が覆われている。図３から図５に示すように、ブラケット３は、ベース体３１と、アーム部３２とを備えている。ベース体３１およびアーム部３２はカバー部材に一体に形成されている。ベース体３１は、幅方向に長尺な部材であり、金属部材を覆い、裏面３１１が第一壁部１０３に当接している。図５に示すように、表面部３１２は、上部が上下方向に延びる平面形状であり、下部は下端側に向かって次第に奥行方向の厚みが薄くなるようにわずかに傾斜する傾斜面が形成されている。ベース体３１の表面部３１２の幅方向両端部は、ベース体３１より幅方向外側に僅かに突出する突出縁３１５，３１５を有する。
【００３３】
アーム部３２は、平面視略Ｕ字形状を有し、表面部３１２から手前側に向かって略水平方向に突出して設けられている。アーム部３２は、幅方向に離間する２つの基部３２１，３２１がベース体３１の表面部３１２から手前側に突出し、各基部３２１，３２１の手前側の端部間にバー３２２が架設されている。バー３２２は、表面部３１２と略平行に延設されている。図４に示すように、バー３２２の手前側の端面は長楕円形状を有する。バー３２２には、化粧パネル３２３が取り付けられている（図７参照）。基部３２１，３２１の幅方向外側の各端部には、幅方向に突出する突起３４，３４が形成されている。
【００３４】
アーム部３２と、ベース体３１の表面部３１２との間には、係合孔３３が形成されている。係合孔３３は上下方向に貫通している。
【００３５】
係合孔３３の上方のベース体３１の表面部３１２には、ベース体３１の上面３１３よりも上方に突出する突出壁３１４が形成されている。突出壁３１４は、ベース体３１の手前側に表面部３１２に沿って上方に延出するように突出している。突出壁３１４の左右上端部は幅方向外側に向かって下側に傾斜している。
【００３６】
図５に示すように、ブラケット３は、水栓１１０の第一壁部１０３からの突出長よりも突出長が短い。
【００３７】
カウンター２は、ブラケット３を介して浴室空間ＢＲの第一壁部１０３に対して着脱可能に構成されている。図６は、浴室カウンター２の底板部材５側から見た斜視図である。図７は、カウンター２の裏面側の平面図である。図８は、カウンター２をブラケット３に取り付ける態様を示す斜視図である。図９は、浴室ユニット１００内におけるカウンター２の使用状態の縦断面図である。図６に示すように、カウンター２は、厚さ方向から見た平面視における形状が略長方形であり、４つの角部は円弧形状を有する。天板部材４と底板部材５とは外周縁部同士が接合されている。カウンター２の外周縁部には、厚さ方向（上下方向）に厚みを有する外周側壁２３が形成されている。外周側壁２３は、略平面状の壁部である。
【００３８】
使用状態では、カウンター２は、２つの長辺端部２１，２２のうちの一方の長辺端部側でブラケット３に係合され、第一壁部１０３から手前側に向かって突出している。２つの長辺端部のうち、使用状態において手前側に位置する長辺端部を第一長辺端部２１と称し、被係合部５２が設けられている側の長辺端部を第二長辺端部２２と称する。
【００３９】
カウンター２には、厚さ方向に貫通する排水口２４が形成されている。排水口２４は、第一長辺端部２１の近傍であって、第一長辺端部２１よりも奥側に形成され、第一長辺端部２１と略平行に延びる長孔である。排水口２４の幅方向の両端部は、円弧形状を有する。天板部材４及び底板部材５に、排水口２４の形状に倣う貫通孔４４０，５４０がそれぞれ形成されている。各貫通孔４４０，５４０の周縁には、カウンター２の厚さ方向に立設されたリブ４４１，５４１が形成されている（図９参照）。天板部材４と底板部材５とが接合されると、リブ４４１，５４１同士が嵌合し、天板部材４と底板部材５との間に形成されるカウンター２の内部空間への浸水が防止されている。
【００４０】
図１から図３に示すように、天板部材４の天板４１は上面（載置面）が扁平に形成されている。天板４１は、カウンター２の外周縁部から排水口２４に向かって僅かに下降傾斜している（図９参照）。すなわち、天板４１は、排水口２４の縁部の高さが最も低く、カウンター２の外周縁部から排水口２４に向かって緩やかに下降傾斜して形成されている。ただし、天板４１の傾斜角度は、天板４１上の水が排水口２４に向かって流れ、物品を載置した際に、物品が自重で傾斜に沿って移動しない程度の僅かな傾斜である。
【００４１】
図３に示すように、底板５１は、幅方向（長辺方向）の中央部において、第一長辺端部２１から第二長辺端部２２に向かって下方に傾斜した傾斜面を備えている。
【００４２】
図６に示すように、底板５１の第二長辺端部２２側の領域に被係合部５２を備える。被係合部５２は、第二長辺端部２２の幅方向略中央部、かつ第二長辺端部２２側の外周側壁２３より下方に形成されている。底板５１の被係合部５２は、内側凹部５５と、外側凹部５６と、突条部５３と、挿入穴５４とを備える。
【００４３】
内側凹部５５は、底板５１の幅方向略中央部に略矩形に形成された凹部である。内側凹部５５の幅方向の長さは、排水口２４の幅方向の長さと略等しい。また、内側凹部５５の左右の側壁５５１，５５１間の距離は、ブラケット３のアーム部３２の幅方向の寸法よりも僅かに大きい。図６に示すように、各側壁５５１，５５１には、係止凸部５７，５７が設けられている。係止凸部５７，５７は、それぞれ幅方向の中央側に向かって突出し、かつ奥行方向に延びる長尺な突起である。
【００４４】
内側凹部５５の第二長辺端部２２側の端部に、突条部５３が形成されている。突条部５３は、略直方体形状であり、内側凹部５５の底部５５３から下方に突出して形成されている。突条部５３は、ブラケット３の係合孔３３の平面視内周形状と相似する形状を有する。
【００４５】
外側凹部５６は、内側凹部５５と第二長辺端部２２との間に形成された凹部である。外側凹部５６は、内側凹部５５と連続して形成され、幅方向に長尺な略矩形の凹部である。外側凹部５６は、内側凹部５５よりも幅方向の開口寸法が長い。外側凹部５６の幅方向の寸法は、ブラケット３のベース体３１の表面部３１２の幅方向の寸法よりも僅かに長い。
【００４６】
挿入穴５４は、外側凹部５６の底部５６１の幅方向中央部に、上方に向かって窪んで形成されている。挿入穴５４は、突条部５３と隣接する位置に形成されている。挿入穴５４は、ブラケット３の突出壁３１４の形状と相似する形状を有する。
【００４７】
外側凹部５６の幅方向の左右の側壁５６２，５６２には、幅方向外側に窪むスリット５６３，５６３がそれぞれ形成されている。
【００４８】
次に、カウンター２とブラケット３との係合構造について説明する。カウンター２は、使用状態と収納状態でそれぞれブラケット３に係合可能に構成されている。まず、使用状態におけるカウンター２とブラケット３との係合構造について説明する。
【００４９】
図８は、使用状態におけるカウンター２をブラケット３へ取り付ける態様を示す斜視図である。図８に示すように、カウンター２の天板４１を上方に向けて、底板５１の被係合部５２をブラケット３に上方から近付け、突条部５３を係合孔３３に挿入し、挿入穴５４に突出壁３１４を挿入する。
【００５０】
突条部５３はアーム部３２の係合孔３３の平面視形状と相似し、内側凹部５５の側壁５５１，５５１間の距離はブラケット３のアーム部３２の幅方向の寸法よりも僅かに大きいため、図９に示すように、アーム部３２と被係合部５２とが係合する。また、内側凹部５５の手前側壁部５５２（図６参照）と突条部５３とにより、アーム部３２のバー３２２が挟持される。さらに、突条部５３の奥側壁５３１がブラケット３の表面部３１２に当接する。この結果、カウンター２の上方からの力に対して十分な耐荷重を備えて、カウンター２を使用状態で支持できる。
【００５１】
アーム部３２と被係合部５２との係合時、内側凹部５５の各側壁５５１，５５１に設けられた係止凸部５７，５７がアーム部３２の基部３２１，３２１の突起３４,３４を乗り越え、係止凸部５７，５７が突起３４,３４に係止される。さらに、外側凹部５６のスリット５６３，５６３にベース体３１の表面部３１２の突出縁３１５，３１５が挿入される。
【００５２】
使用状態におけるカウンター２の支持構造が、上述の構成を備える結果、カウンター２はブラケット３の上方から近付けて、被係合部５２とアーム部３２とを係合させる簡易な構成で、カウンター２をブラケット３に着脱可能に係合させることができる。つまり、ネジ等の固定部材を用いることなく、カウンター２をブラケット３に係合できる。また、カウンター２の使用中に上方向へ不慮の力が加わった場合でも、カウンター２がブラケット３から外れ難い。
【００５３】
一方、カウンター２をブラケット３から取り外す場合は、使用者がカウンター２を把持しながら上方に持ち上げると、係止凸部５７，５７が突起３４,３４を乗り越えて被係合部５２とブラケット３との係合が解除可能となり、カウンター２をブラケット３から取り外すことができる。
【００５４】
一般に、浴室カウンターは、天板４１上に洗面器（不図示）を載置して、水栓１１０やシャワー器具１０９からの吐水を溜める場合等の使用を想定している。本実施形態においても、水栓１１０の下方にカウンター２が使用状態で取り付けられると、第一壁部１０３からカウンター２の第一長辺端部２１までの水平方向の寸法Ｌ１（第一寸法、図９参照）が水栓１１０の第一壁部１０３からの水平方向の突出寸法Ｌ３（図１０参照）よりも長くなるように、カウンター２の奥行方向の寸法が設定されている。
【００５５】
次に、収納状態におけるカウンター２とブラケット３との係合構造について説明する。収納状態では、天板４１の向きを使用状態と異なる向きに配置してブラケット３に保持する。図４に示すように、ブラケット３から取り外したカウンター２の天板４１を水平方向に向け、底板５１側をブラケット３に近付ける。このとき、第一長辺端部２１が上側となるように配置し、排水口２４をブラケット３のアーム部３２に近付ける。排水口２４の平面視開口形状は、アーム部３２の正面視形状と相似し、排水口２４の開口寸法がアーム部３２の正面視形状よりもわずかに大きい。したがって、底板５１側をアーム部３２に対して奥行方向に近付けると、排水口２４内にアーム部３２が挿入可能となり、アーム部３２が排水口２４に係止される。この結果、カウンター２は、アーム部３２に係止された状態で下垂して支持され、カウンター２がブラケット３に収納状態で保持される。なお、図１０に示すように、収納状態では、突条部５３（被支持部）および底板５１の第二長辺端部２２側の端部領域５９（被支持部、図６、図７参照）が第一壁部１０３に当接するように構成すると、カウンター２が上下方向の２か所で第一壁部１０３に支持されるため、カウンター２が収納状態で安定的に保持される。
【００５６】
図１０に示すように、収納状態では、カウンター２の天板４１とブラケット３のアーム部３２とが上下方向に略面一な状態で配置される。この結果、収納状態において、洗い場１０２におけるカウンター２の占有スペースを抑えることができ、洗い場１０２を広く使用できる。
【００５７】
収納状態では、カウンター２の第一壁部１０３から天板４１までの水平方向の寸法Ｌ２（第二寸法、図１０参照）は、水栓１１０の第一壁部１０３からの水平方向の突出寸法Ｌ３よりも短い。したがって、収納状態時のカウンター２が使用状態時よりも第一壁部１０３からの水平方向の突出寸法を抑えることができる。その結果、着脱可能なカウンター２を使用しない場合に、使用者の動線を妨げない位置でカウンター２を保持できる。その結果、清掃時に、清掃者がカウンター２を支持することなく、第一壁部１０３に対して保持されたカウンター２を清掃できる。例えば、清掃者は一方の手でシャワーヘッドを保持し、他方の手でスポンジ等の清掃具を持ってカウンター２を容易に清掃できる。
【００５８】
図２、図３及び図１０に示すように、収納状態では、カウンター２の被係合部５２がブラケット３に係合された状態で、カウンター２の外周側壁２３の全周（天板４１の周縁全周）が第一壁部１０３に及び床面から離間した位置でブラケット３に保持されている。その結果、収納状態のカウンター２の全周を清掃できる。ブラケット３により浴室及びカウンター２の清掃時にカウンター２を安定的に支持できる。さらに、収納状態では、カウンター２を浴室の床面から上方に離間した位置で保持できる。その結果、着脱可能なカウンター２の清掃時にさらに清掃しやすく、清掃者の負担を軽減できる。
【００５９】
本実施形態に係る浴室カウンター収納構造によれば、ブラケット３によりカウンター２を収納状態で保持可能であるため、着脱可能なカウンター２をブラケット３から取り外した場合に、使用者の動線を妨げない位置でカウンター２を保持できる。したがって、例えば、カウンター２の下方の床面や壁面を清掃する際、カウンター２を第一壁部１０３から取り外した後、カウンター２をブラケット３により安定保持可能となる。また、カウンター２を使用しない場合に、カウンター２をブラケット３により収納状態で保持できる。
【００６０】
本実施形態に係る浴室カウンター収納構造によれば、収納状態では、カウンター２の天板４１が第一壁部１０３に沿って配置されるため、カウンター２の第一壁部１０３からの突出量を抑えて収納できる。したがって、カウンター２を使用しない収納状態時、例えば、掃除時、カウンター２が使用者の動線を妨げることがない。
【００６１】
本実施形態に係る浴室カウンター収納構造によれば、カウンター２がブラケット３に対して嵌合されて保持可能であるため、収納状態では、カウンター２をブラケット３で安定支持できる。また、カウンター２をブラケット３と嵌合させて保持するため、収納状態のカウンター２が動くことを防止できる。その結果、カウンター２あるいはブラケットの取付位置周辺の第一壁部１０３に傷がつくことを防止できる。また、カウンター２がブラケット３に対して着脱可能に嵌合されるため、ビス等の固定具が不要となる。その結果、カウンター２をブラケット３に容易に着脱可能となる。
【００６２】
本実施形態に係る浴室カウンター収納構造によれば、カウンター２の収納状態では、カウンター２が、排水口２４（被支持部）と底板５１の第二長辺端部２２側の突条部５３（被支持部）および端部領域５９（被支持部）とで支持される。すなわち、排水口２４がブラケット３に係合されることにより、収納状態におけるカウンター２の上下方向の荷重がブラケット３に支持される。したがって、収納状態では、排水口２４により、第一壁部１０３対するカウンター２の上下方向の位置が保持され、収納状態のカウンター２が安定的に支持可能となる。また、突条部５３および端部領域５９が第一壁部１０３に当接することにより、収納状態におけるカウンター２の奥行方向の荷重が第一壁部１０３に支持される。したがって、突条部５３および端部領域５９により、第一壁部１０３に対するカウンター２の上下方向の位置が保持可能である。
【００６３】
本実施形態では、カウンター２の上下方向に離間する２カ所の被支持部にてカウンター２が支持される。その結果、収納状態のカウンター２をさらに安定的に支持可能となる。なお、被支持部を複数個所設ける必要は無い。例えば、収納状態でカウンター２がブラケット３に係止された際、ブラケット３に排水口２４を係合させる構成によるカウンター２の上下方向の荷重の支持のみ、あるいは、端部領域５９が第一壁部１０３に当接する構成によるカウンター２の奥行方向の荷重の支持のみが可能な構成であってもよい。さらに、一ヶ所でカウンター２の上下方向及び奥行方向の荷重を支持する構成であってもよい。また、本実施形態では、第二長辺端部２２側の突条部５３および端部領域５９を第一壁部１０３に当接させてカウンター２を支持させる例を示したが、カウンター２の第二長辺端部２２側を第一壁部１０３に当接させる場合の位置はこれに限定されない。例えば、突条部５３または端部領域５９のいずれか一方でカウンター２を支持してもよい。
【００６４】
本実施形態に係る浴室カウンター収納構造によれば、ブラケット３が収納ブラケットと支持ブラケットを兼ねる。このため、カウンター２を使用状態および収納状態で保持するブラケットの数を少なくすることができる。その結果、浴室空間ＢＲ内に取り付けるブラケットの数を抑えられるため、部品点数低減及び施工工数の低減によりコストを抑えられる。また、カウンター２が使用状態あるいは収納状態にあるときに、使用されないブラケットが外観上露出することがないため、浴室空間ＢＲ内の外観意匠性を高めることができる。
【００６５】
本実施形態に係る浴室カウンター収納構造によれば、使用状態では水栓の下方に設けられるカウンター２を使用しない場合は、収納状態でカウンター２をブラケット３に安定的に保持できる。したがって、例えば、カウンター２の下方の床面や第一壁部１０３を清掃する際、浴室カウンターを収納ブラケットにより収納状態で保持できる。そのため、浴室の床面清掃が容易となる。
【００６６】
浴室カウンター収納構造１は上記実施形態の構成に限定されない。図１１に、浴室ユニット１００内における浴室カウンター収納構造の第一変形例を示す。なお、以下の説明において、上記実施形態と同様の構成には実施形態と同一の符号を付し、重複する説明を省略する。上記実施形態では、ブラケット３を、カウンター２の使用状態の支持ブラケット及び収納状態の収納ブラケットとして兼用する例を示した。しかし、支持ブラケットと収納ブラケットとは別部材としてもよい。
【００６７】
図１１に示す第一変形例では、浴槽１０１の縁部１０１１に、上記ブラケット３と同様の構成のブラケットを取り付け、収納ブラケット３Ａとして使用している。図１１に示すように、上述の実施形態のブラケット３（支持ブラケット）に加えて、カウンター２の収納用の収納ブラケットを別途設けてもよい。また、図１１に示す変形例のように、カウンター２を水栓１１０等の下方以外の場所に保持してもよい。
【００６８】
このように、水栓１１０の下方以外の場所でカウンター２を収納状態で保持すると、シャワー器具の下方にカウンター２を収納状態で保持する場合に比べて、水栓１１０等の下方のスペースをより広く使用できる。例えば、洗い場１０２に椅子等を設置せず、使用者が起立状態でシャワー器具１０９を使用する場合に、使用者の動線を妨げず、使用者が快適に使用可能な浴室ユニットを提供できる。また、使用状態用のブラケット３を清掃する際に、カウンター２を浴槽１０１のエプロン１０５に沿って収納状態で保持できる。その結果、清掃時の使用者の負担を軽減できる。
【００６９】
図１２に、浴室ユニット１００内における浴室カウンター収納構造の第二変形例を示す。図１２に示す第二変形例では、洗い場１０２の床面にブラケット３Ｂを設けた例である。例えば、第一壁部１０３の右側に設けられた第二壁部１０４の近傍の床面に、床面から上方に突出する２つの収納ブラケット３Ｂ，３Ｂを設け、カウンター２を第二壁部１０４に沿って配置し、収納ブラケット３Ｂ，３Ｂと第二壁部１０４とにより収納状態で保持する構成であってもよい。
【００７０】
なお、カウンター２は着脱可能であるため、使用者が着脱操作を円滑に行えるようにするため、軽量に形成されている。そのため、収納ブラケット３Ｂは一つであっても支持可能である。
【００７１】
また、図１２に示すように、カウンター２を長辺端部２１，２２が上下方向に延びるようにカウンター２を配置して収納状態で保持してもよい。
【００７２】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【符号の説明】
【００７３】
１  カウンター収納構造
２  カウンター（浴室カウンター）
３  ブラケット（支持ブラケット、収納ブラケット）
３Ａ、３Ｂ  収納ブラケット
２４  排水口（被支持部）
４１  天板（載置面）
５３  突条部（被支持部）
５９  端部領域（被支持部）
【図１】
2020032106.tif 000003
【図２】
2020032106.tif 000004
【図３】
2020032106.tif 000005
【図４】
2020032106.tif 000006
【図５】
2020032106.tif 000007
【図６】
2020032106.tif 000008
【図７】
2020032106.tif 000009
【図８】
2020032106.tif 000010
【図９】
2020032106.tif 000011
【図１０】
2020032106.tif 000012
【図１１】
2020032106.tif 000013
【図１２】
2020032106.tif 000014